(57)【要約】【課題】  原稿台ガラスやミラー等に、ガイドレールと走行光学体との接触部から発生する摩耗粉が付着することを防止する画像読み取り装置を提供すること。【解決手段】  原稿が載置される原稿台ガラスと、当該原稿台ガラスの下面側に設けたガイドレールと、当該ガイドレールに案内されて往復移動する走査光学体とを有する画像読み取り装置において、前記ガイドレールと前記走査光学体との接触部から発生する摩耗粉の飛散を防止する飛散防止部材を有することを特徴とする画像読み取り装置。【選択図】        図３
2005165166.tif 000002
【特許請求の範囲】
【請求項１】
原稿が載置される原稿台ガラスと、当該原稿台ガラスの下面側に設けたガイドレールと、当該ガイドレールに案内されて往復移動する走査光学体とを有する画像読み取り装置において、前記ガイドレールと前記走査光学体との接触部から発生する摩耗粉の飛散を防止する飛散防止部材を有することを特徴とする画像読み取り装置。
【発明の詳細な説明】
【技術分野】
【０００１】
本発明は、原稿台ガラスに載置された原稿を、走行しながら読み取る走査光学体を有する画像読み取り装置に関する。
【背景技術】
【０００２】
一般に、複写機等の画像形成装置に用いられる画像読み取り装置は、原稿が載置された原稿台ガラスの下面側に沿って設けたガイドレール上を往復移動する光源及びミラーを備えた走査光学体により、原稿を読み取る構成となっている。
【０００３】
このような構成において、ガイドレール上を走査光学体が移動するときに、これらの接触部から摩耗粉が発生し、走査光学体の移動に伴う気流により飛散し、原稿台ガラスやミラー、レンズ等に付着し、画像上に黒点や黒筋となって現れ、画質を低下させてしまう。
【０００４】
このような摩耗粉の付着を解決するために、以下のような装置が提案されている。
【０００５】
１つは、光源及び光源からの光を原稿に照射してその反射光を受ける光電変換素子とを搭載した走行体に、原稿台ガラス（コンタクトガラス）と接触するクリーニングローラを取り付けて、走行体が往復移動するることにより、コンタクトガラスの下面を清掃する構成の画像読み取り装置である（例えば、特許文献１参照）。
【０００６】
１つは、コンタクトガラス上に配置された原稿に対して、光学系ミラーを設けた光学移動体に清掃部材を取り付けて、光学移動体の走査動作の際、清掃部材によりコンタクトガラスに付着したゴミを取り除く構成の画像読み取り装置である（例えば、特許文献２参照）。
【特許文献１】特開平９−２７０８９０号公報
【特許文献２】特開２０００−７８３５７号公報
【発明の開示】
【発明が解決しようとする課題】
【０００７】
しかしながら、特許文献１、２に記載された方法では、コンタクトガラスの下面に付着したゴミを取り除くことが出来るが、ミラー、レンズ、光電変換素子等に付着したゴミを取り除くことが出来ないため、これらの部分に付着したゴミによる画像上の黒点や黒筋の発生を押さえることが出来ない。
【０００８】
また、クリーニングローラや清掃部材を取り付けることにより、構造が複雑になったり、コストアップになってしまう。
【０００９】
本発明は、上述した問題に鑑みてなされたもので、その目的は、簡単な構成で、ガイドレールと走査光学体との接触部分から発生する摩耗粉（ゴミ）が飛散し、原稿台ガラス、ミラー等に付着して画像品質を低下させることを抑制することが出来る画像読み取り装置を提供することにある。
【課題を解決するための手段】
【００１０】
ガイドレールと走査光学体との接触部から発生する摩耗粉は走査光学体の移動に伴う気流により飛散して原稿台ガラスやミラー等に付着してしまうが、これらに付着した摩耗粉を除去するよりも、摩耗粉を飛散させないことが有効であると考え本発明に至った。
【００１１】
即ち、本発明の目的は、下記の構成により達成できる。
【００１２】
原稿が載置される原稿台ガラスと、当該原稿台ガラスの下面側に設けたガイドレールと、当該ガイドレールに案内されて往復移動する走査光学体とを有する画像読み取り装置において、前記ガイドレールと前記走査光学体との接触部から発生する摩耗粉の飛散を押さえる飛散防止部材を有することを特徴とする画像読み取り装置。
【発明の効果】
【００１３】
本発明によれば、ガイドレールと走査光学体との接触部から発生する摩耗粉の飛散を防止する飛散防止部材を設けることにより、原稿台ガラスやミラー等に摩耗粉が付着し、画像上に黒点や黒筋として現れ、画質を低下させることを防止できる。
【発明を実施するための最良の形態】
【００１４】
以下、本願発明の実施の形態の一例を説明する。なお、以下の実施の形態における断定的な説明は、ベストモードを示すものであって、本発明の用語の意義や技術的範囲を限定するものではない。
【００１５】
まず、本発明に係わる画像読み取り装置を備えた画像形成装置の実施の形態を図１を用いて説明する。
【００１６】
図１はデジタル式複写機からなる画像形成装置の構成を示す模式図である。
【００１７】
本実施の形態の画像形成装置は電子写真方式を利用してトナー画像を転写材上に形成するもので、自動原稿送り装置１、本発明に係わる画像読み取り装置２、画像形成部３、転写材収納部４、給紙部５、反転排紙・再給紙部６、および反転搬送部８を有している。
【００１８】
自動原稿送り装置１は、可倒式に構成されており、この自動原稿送り装置１を起こして原稿台ガラス２２上を開放し、原稿台ガラス２２上に原稿ｄを直接載置して複写を行うこともできるように構成してある。
【００１９】
また、原稿ｄを自動送りしながら読み取るためには、原稿載置台１１上に載置された複数枚の原稿ｄを、原稿分離手段１２によって１枚づつ分離し、原稿搬送手段１３によって画像読取位置に向けて搬送する。
【００２０】
原稿読取位置は原稿搬送手段１３の下方部に設けられており、画像読み取り装置２のスリット２１を通して原稿ｄの画像が読み取られるようになっている。
【００２１】
本発明に係わる画像読み取り装置２は、原稿ｄの画像を読み取って画像データを得るための装置であり、原稿台ガラス２２、あるいはスリット２１を介して原稿ｄを照射するランプ２３１と原稿ｄからの反射光を反射させる第１ミラー２３２とを一体化した第１走査光学体（以降、第１ミラーユニットという）２３と、第１ミラー２３２からの光を反射させる第２ミラー２４１と第３ミラー２４２とを一体化してなる第２走査光学体（以降、第２ミラーユニットという）２４と、第２ミラーユニット２４からの反射光を、撮像素子であるＣＣＤに結像させる結像レンズ２５、および、結像レンズ２５によって結像された光像を光電変換するライン状のＣＣＤ２６を有する。
【００２２】
光電変換されたアナログ信号は、アナログ処理後にＡ／Ｄ変換され、適宜の画像処理を施された後、画像データとして制御手段（不図示）のメモリに蓄積される。
【００２３】
なお、原稿台ガラス２２上に載置された原稿ｄの画像の読み取りは、第１ミラーユニット２３と第２ミラーユニット２４とを、光路長を保ちながら、原稿台ガラス２２の下面側に沿って移動させることにより行う。
【００２４】
また、自動原稿送り装置１によって送られる原稿ｄを画像読み取り装置２で読み取る態様においては、第１ミラーユニット２３、および、第２ミラーユニット２４は、図示位置に固定される。
【００２５】
画像形成部３は、像担持体としての光導電性感光層を表面に有する感光体ドラム３１、感光体ドラム３１の表面を一様帯電させる帯電電極を含む帯電器３２、画像処理後の画像データに基いて作動され、感光体ドラム３１上を露光して静電荷潜像を形成するための露光手段であるレーザ書込手段３３、感光体ドラム３１上に形成される静電荷潜像を反転現像してトナー像となす現像装置３４、前記トナー像を普通紙等からなる転写材上に転写せしめる転写電極を含む転写手段３５、感光体ドラム３１上からの転写材の分離を促進する分離手段３６、および、転写工程終了後の前記感光体ドラム３１を清掃するためのクリーニング手段３７等を有する。
【００２６】
３８は分離後の転写材を、定着装置９に向けて搬送する搬送ベルト、６３は排紙ローラである。
【００２７】
上記構成による画像形成は、適宜の駆動手段によって矢示の方向に回転する感光体ドラム３１を帯電器３２により順次帯電した後、レーザ書込手段３３によるドット露光で原稿画像に対応した静電荷潜像を形成し、現像器３４を用いて接触現像もしくは非接触現像により前記静電荷潜像をトナー像となし、その後、レジストローラ５６の回転開始により、給紙トレイ４００、４１０、４２０の何れかから給送される転写材上に、前記転写器３５の作用を介して転写させることで達成される。
【００２８】
転写後の転写材は分離手段３６の作用により前記感光体ドラム３１上から分離され、前記定着装置９の加熱・加圧作用を受けた後、機外に排出される。
【００２９】
一方、転写領域を通過した感光体ドラム３１は更に回転を続け、クリーニング手段３７によって残留トナーが除去されて次の画像形成への準備がなされる。
【００３０】
次に、本発明に係わる画像読み取り装置２について説明する。
【００３１】
先ず、走査光学体である第１ミラーユニット２３及び第２ミラーユニット２４の往復移動の機構について図２を用いて説明する。
【００３２】
図２は、第１ミラーユニット２３及び第２ミラーユニット２４のワイヤ駆動機構の要部斜視図である。
【００３３】
図に示すように、画像読み取り装置２の本体（不図示）の両側の点Ａに一端が固定されたワイヤＷは、第２ミラーユニット２４の両端部に設けられた可回転のプーリ２４３、前記本体に固定された可回転のプーリ２５、正逆可能な駆動モータ２６により回転される駆動プーリ２７に巻回しされた後、第１ミラーユニット２３の両端部に固定され、更に、プーリ２４３に巻回しされ、前記本体に点Ｂで固定される。
【００３４】
このように構成することにより、第２ミラーユニット２４の移動速度が第１ミラーユニット２３の移動速度の１／２になり、第１ミラーユニット２３の走行方向に見た原稿全長を読み取ることが出来る。
【００３５】
次に、本発明に係わる飛散防止部材の第１の実施の形態について図３を用いて説明する。
【００３６】
図３（ａ）は、図１の第１ミラーユニット２３の端部近傍のＣ−Ｃ断面図、図３（ｂ）は図（ａ）のＤ−Ｄ断面図である。
【００３７】
２３５は、第１ミラーユニット２３の底板２３Ａの両端部にねじ、溶着等により固定されたスライダである。
【００３８】
スライダ２３５は、図１のＣ−Ｃ断面に見て、下側に凸の半円形状で、第１ミラーユニット２３の走行方向に見て所定の長さを有した蒲鉾形状をなしており、原稿台ガラス２２（図１参照）の下面側に沿って設けられたガイドレール２３６に線接触している。なお、ガイドレール２３６は画像読み取り装置２の本体２Ａに固定されるとともに、第１ミラーユニット２３の移動範囲に渡り形成されている。
【００３９】
２３７は飛散防止部材で、ガイドレール２３６の本体２Ａ側とは反対側の端部を上方に曲げた立ち上げ部からなり、当該立ち上げ部は第１ミラーユニット２３の移動範囲に渡り形成されている。
【００４０】
このような構成により、スライダ２３５とガイドレール２３６との接触部２３８における摺動により発生する摩耗粉が、画像読み取り装置２の内部に落下し、第１ミラーユニット２３、あるいは、第２ミラーユニット２４の走行時に発生する気流により舞い上がって、原稿台ガラス、各ミラー、レンズ等に付着することを抑制できる。
【００４１】
本実施の形態では、飛散防止部材２３７を、ガイドレール２３６を曲げ加工することにより一体に形成したが、帯状板をガイドレール２３６に取り付ける構成にしても良い。
【００４２】
次に、飛散防止部材の第２の実施の形態について、図４を用いて説明する。
【００４３】
図４（ａ）は、図１の第１ミラーユニット２３の端部近傍のＣ−Ｃ断面図、図４（ｂ）は、図４（ａ）のＥ−Ｅ断面図である。
【００４４】
なお、図３の部材と同一部材については、同じ参照符号を付してあるので、説明は省略するものとする。
【００４５】
飛散防止部材は、内側飛散防止部材２３７Ａ、外側飛散防止部材２３７Ｂからなり、図に示すように、これらの２つの部材は、第１ミラーユニット２３の底板２３Ａの垂直部２３Ｂを僅かな隙間を持って挟み込むように構成されている。
【００４６】
内側飛散防止部材２３７Ａは、ガイドレール２３６の先端部を曲げ加工することにより形成され、外側飛散防止部材２３７Ｂは、Ｌ字形状をなし本体２Ａに固定されている。
【００４７】
また、内側飛散防止部材２３７Ａ、及び、外側飛散防止部材２３７Ｂは、第１ミラーユニット２３の走行方向に見て、第１ミラーユニット２３の移動範囲全域に渡り形成されている。
【００４８】
このように摩耗粉が発生する箇所を覆うように構成することにより、スライダ２３５とガイドレール２３６との接触部２３８における摺動により発生する摩耗粉が、上方に飛散したり、画像読み取り装置２の内部に落下して、第１ミラーユニット２３、あるいは、第２ミラーユニット２４の走行時に発生する気流により舞い上がって、原稿台ガラス、各ミラー、レンズ等に付着することを抑制できる。
【００４９】
以上の説明は、第１ミラーユニットにおける飛散防止部材に関する実施の形態であるが、第２ミラーユニットに関しても同様に実施可能であるので説明は省略するものとする。
【００５０】
なお、走査光学体を、原稿照明用のランプ、原稿の反射光を受ける光電変換素子で構成し、当該走査光学体を移動させながら原稿画像を読み取る構成にしても良い。
【００５１】
また、走査光学体に設けたスライダの変わりに、可回転のコロを設けて、当該コロをガイドレール上を走行する構成としても良い。
【図面の簡単な説明】
【００５２】
【図１】画像形成装置の構成を示す模式図。
【図２】第１ミラーユニット、第２ミラーユニットのワイヤ駆動機構の要部斜視図。
【図３】第１の実施の形態を示す図１のＣ−Ｃ断面図。
【図４】第２の実施の形態を示す図１のＣ−Ｃ断面図。
【符号の説明】
【００５３】
２  画像読み取り装置
２２  原稿台ガラス
２３  第１走査光学体（第１ミラーユニット）
２３Ａ  底板
２３Ｂ  垂直部
２４  第２走査光学体（第２ミラーユニット）
２５  結像レンズ
２６  ＣＣＤ
２３１  ランプ
２３２  第１ミラー
２３５  スライダ
２３６  ガイドレール
２３７  飛散防止部材
２３７Ａ  内側飛散防止部材
２３７Ｂ  外側飛散防止部材
２３８  接触部
２４１  第２ミラー
２４２  第３ミラー
【図１】
2005165166.tif 000003
【図２】
2005165166.tif 000004
【図３】
2005165166.tif 000005
【図４】
2005165166.tif 000006